(57)【要約】【課題】ガイドリブを形成することなく、コジリを防止できるスライド式コネクタを提供すること。【解決手段】オスコネクタ１は、メスコネクタ２に設けられるスライダ３に形成されたカム溝３１に挿入されるカムピン５０を備え、スライダ３が嵌合操作されると、カム溝３１内をカムピン５０がカム溝３１に対して相対的に前進することにより、嵌合操作される向きに直交する正規の嵌合方向Ｍに沿ってメスコネクタ２と嵌合される。カムピン５０は、正規の嵌合方向Ｍに沿って開口するとともにカム溝３１に連通するようにメスコネクタ２に形成される導入開口２５の幅をＷ１とすると、嵌合方向Ｍに対応する投影面における幅Ｗ２が幅Ｗ１よりも小さく、かつ、嵌合方向Ｍから傾いた方向に対応する投影面における幅Ｗ３Ａ，Ｗ３Ｂが幅Ｗ１よりも大きく形成されるとともに、カム溝３１の長手方向に沿った一対の稜線に挟まれる領域内に収まっている。【選択図】図５
2014017135.tif 000002
【特許請求の範囲】
【請求項１】
嵌合の相手コネクタに設けられるスライダに形成されたカム溝に挿入されるカムピンを備え、前記スライダが開始位置から終了位置に向けて嵌合操作されると、前記カム溝内を前記カムピンが前記カム溝に対して相対的に前進することにより、前記嵌合操作される向きに直交する正規の嵌合方向に沿って相手コネクタと嵌合されるコネクタであって、
前記カムピンは、
前記嵌合方向に沿って開口するとともに前記カム溝に連通するように前記相手コネクタに形成される導入開口の幅をＷ１とすると、
前記嵌合方向に対応する投影面における幅Ｗ２が前記幅Ｗ１よりも小さく、かつ、
前記嵌合方向から傾いた方向に対応する投影面における幅Ｗ３が前記幅Ｗ１よりも大きく形成されるとともに、
前記カム溝の長手方向に沿った一対の稜線に挟まれる領域内に収まっている、
ことを特徴とするコネクタ。
【請求項２】
前記カムピンは、
円形または略円形の断面形状を有するピン本体と、
前記ピン本体の外周に形成される張出部と、を有する
請求項１に記載のコネクタ。
【請求項３】
前記張出部は、前記嵌合操作のときに前記カムピンが前記カム溝に対して相対的に前進する方向の後方側に形成されている
請求項２に記載のコネクタ。
【請求項４】
前記カムピンは、前記嵌合方向に平行な外周部を有する
請求項１から３のいずれか一項に記載のコネクタ。
【請求項５】
前記コネクタは、オス型のコンタクトを有するオスコネクタであり、
前記相手コネクタは、前記オス型のコンタクトを受容するメス型のコンタクトを有するメスコネクタである
請求項１から４のいずれか一項に記載のコネクタ。
【請求項６】
前記スライダに形成される複数のカム溝に各々対応するカムピンを備え、
前記複数のカムピンのうち、少なくとも１つが、前記幅Ｗ１よりも前記幅Ｗ３が大きく形成される
請求項１から５のいずれか一項に記載のコネクタ。
【発明の詳細な説明】
【技術分野】
【０００１】
本発明は、スライダに形成されたカム溝に挿入されるカムピンを備えた電気コネクタに関する。
【背景技術】
【０００２】
多極に形成されていても小さな力で嵌合できるように、スライド式のコネクタが使用されている。このスライド式コネクタでは、嵌合される一方のコネクタのハウジングにスライダが設けられており、他方のコネクタのハウジングには、スライダのカム溝に挿入されるカムピンが形成されている。スライダを開始位置から終了位置までスライド操作すると、カム溝およびカムピンの作用により、双方のコネクタが嵌合される。
【０００３】
ところで、コネクタ一般において、コネクタを嵌合するときに正規の嵌合姿勢に対してコネクタが傾いていると、一方のハウジングが他方のハウジングに斜めに入り込んでコンタクト（端子金具）に接触し、コンタクトを曲げてしまう（コジる）おそれがある。このようなコジリを防止するために、コネクタの正規の嵌合方向に沿って延びるガイドリブを双方のコネクタのハウジングに設けて、コネクタの姿勢を矯正することが知られている。
また、コネクタ同士を嵌合された状態に係止するロックアームのロック部よりも前方に突出する一対のコジリ防止用突部を備えたコネクタが提案されている（特許文献１）。このコネクタを傾いた姿勢で嵌合しようとすると、コジリ防止用突部の前端部が相手コネクタのロック受け部に干渉するとともに、一対のコジリ防止用突部の間にロック受け部が案内されることで、コジリが防止される。
【先行技術文献】
【特許文献】
【０００４】
【特許文献１】特開２００８−３０５６０７号公報
【発明の概要】
【発明が解決しようとする課題】
【０００５】
上記のようなガイドリブによってコジリを防止するには、嵌合されるコネクタの双方に、対応するガイドリブを形成する必要がある。したがって、この手法では、ガイドリブが形成されていない既存のコネクタとの間でコジリ防止を図ることができない。
また、ガイドリブ相互の間のガタが大きいので、コネクタが多少傾いていてもガイドリブは互いに掛かり合ってガイドを開始し、ハウジングの先端部がコンタクトの先端に到達するまでの間にコネクタの姿勢を矯正することによってコジリを防止している。そのため、コンタクトの先端よりも前方に延出するガイドリブが短いと、コジリを確実に防止するだけの姿勢矯正効果が得られない。しかし、ガイドリブの長さを十分に長くすると、コネクタが大型化してしまう。
特許文献１は、ガイドリブに相当するコジリ防止用突部をロックアームに設けたものに過ぎないので、上記と同様の課題がある。
【０００６】
以上を踏まえ、本発明は、ガイドリブを形成することなく、コジリを防止できるスライド式コネクタを提供することを目的とする。
【課題を解決するための手段】
【０００７】
本発明者は、スライダ式のコネクタにコジリが生じる状況を検討した。図９に示すように、スライダ８０が設けられるメスコネクタ８をオスコネクタ９に対して傾けて嵌合しようとすると、スライダ８０のカム溝８１に連通する導入開口８２にカムピン９１が斜めに導入される（図９（ａ））。そのとき、メスハウジング８３はオスハウジング９３内に傾いて挿入される（図９（ｂ））。その状態でメスコネクタ８を押し続けると、カムピン９１が導入開口８２のより奥に導入されるとともにカムピン９１を支点にメスコネクタ８の傾きが増すので、メスハウジング８３の先端部８３１がオスコネクタ９のコンタクト９２に接触し、コジリが生じる。
また、図１０に示すように、図９とは反対の向きにメスコネクタ８を傾けて嵌合しようとすると、導入開口８２にカムピン９１が斜めに導入されるとともに、メスハウジング８３がオスハウジング９３内に傾いて挿入される。このとき、オスハウジング９３の上端にメスハウジング８３が乗り上げるために、直ちにはコジリが生じなくても（図１０（ａ））、導入開口８２内のガタにより、メスハウジング８３をオスハウジング９３内に斜めに押し込むことができる。しかも、メスコネクタ８を押し込むと、カム溝８１に入り込んだカムピン９１の作用により、オスコネクタ９にメスコネクタ８が嵌合される向きにスライダ３が移動されるので（図１０（ｂ））、メスハウジング８３がオスハウジング９３内により深く挿入されてしまう。したがって、メスハウジング８３の先端部８３１によって、やはりコジリが生じる（図１０（ｃ））。
以上の検討によれば、スライダ式コネクタにおけるコジリは、メスコネクタ８が傾いているときに導入開口８２にカムピン９１が斜めに導入されることを端緒として生じる。カムピン９１は典型的には断面円形状とされているが、カムピン９１の断面形状を変更することにより、導入開口８２にカムピン９１が斜めに導入されないようにしたい。但し、それがスライダ８０の摺動を妨げてはならないし、それによって既存のメスハウジング８３やスライダ８０の仕様変更が要求されることなく、新旧のコネクタの互換性を保つ必要がある。
【０００８】
そこでなされた本発明のコネクタは、嵌合の相手コネクタに設けられるスライダに形成されたカム溝に挿入されるカムピンを備え、スライダが開始位置から終了位置に向けて嵌合操作されると、カム溝内をカムピンがカム溝に対して相対的に前進することにより、嵌合操作される向きに直交する正規の嵌合方向に沿って相手コネクタと嵌合されることを基本構成とする。
そして、本発明は、カムピンが、嵌合方向に沿って開口するとともにカム溝に連通するように相手コネクタに形成される導入開口の幅をＷ１とすると、嵌合方向に対応する投影面における幅Ｗ２が幅Ｗ１よりも小さく、かつ、嵌合方向から傾いた方向に対応する投影面における幅Ｗ３が幅Ｗ１よりも大きく形成されるとともに、カム溝の長手方向に沿った一対の稜線に挟まれる領域内に収まっていることを特徴とする。
【０００９】
この発明によれば、カムピンの幅Ｗ２が導入開口の幅Ｗ１よりも小さいために、正規の嵌合姿勢のときはカムピンを導入開口に導入できる一方で、カムピンの幅Ｗ３が導入開口の幅Ｗ１よりも大きいので、コネクタを傾けて嵌合しようとするとカムピンが導入開口の端縁部に干渉する。これにより、コネクタが傾いているときにカムピンが導入開口に導入されるのが阻止されるので、コンタクトのコジリを未然に防止できる。このカムピンは、カム溝の一対の稜線の間の領域内に収まっているので、カム溝における摺動時にカム溝の内壁には干渉せず、スライダをスムーズに操作できる。
以上のように、本発明によれば、倍力駆動機構を構成するものとしてスライド式コネクタに元来備わるカムピンの形状を変更するだけで、ガイドリブを形成することなく、コジリを防止できる。そのカムピンを備えるコネクタは、相手コネクタの仕様変更を要求しないので、新旧コネクタの互換性を保てる。また、本発明によれば、コンタクトよりも前方に延出するガイドリブを必要としないので、コネクタが大型化しない。
【００１０】
本発明のコネクタにおけるカムピンは、円形または略円形の断面形状を有するピン本体と、ピン本体の外周に形成される張出部と、を有するように構成することができる。
典型的に円形または略円形の断面形状とされるピン本体の外周に張出部を形成するだけで、本発明の目的を達成できる。
その張出部は、嵌合操作のときにカムピンがカム溝に対して相対的に前進する方向の後方側に形成されていることが好ましい。
これにより、カムピンを導入開口に導入するときに導入開口にピン本体が張出部よりも先に到達するので、張出部が導入の妨げとなることなく、導入開口にカムピンをスムーズに導入できる。
なお、本発明は、カムピンが張出部を有することを必須とするものでなく、上述した導入開口の幅Ｗ１と、カムピンの幅Ｗ２および幅Ｗ３との関係が満足されていればよい。
【００１１】
本発明のコネクタでは、カムピンは、嵌合方向に平行な外周部を有することが好ましい。その外周部により、嵌合方向に開口する導入開口に向けてカムピンを案内しつつ、導入開口にカムピンを安定して導入できる。
【００１２】
本発明のコネクタは、オス型のコンタクトを有するオスコネクタとし、スライダが設けられる相手コネクタは、オス型のコンタクトを受容するメス型のコンタクトを有するメスコネクタとすることができる。このようにスライダがメスコネクタに設けられるのが典型例であるが、本発明のコネクタをメスコネクタとし、相手コネクタをオスコネクタとすることも許容できる。
【００１３】
本発明のコネクタが、スライダに形成される複数のカム溝に各々対応するカムピンを備えている場合には、それらのカムピンのうち、少なくとも１つが、幅Ｗ１よりも幅Ｗ３が大きく形成されていれば足りる。そのカムピンおよび残りのカムピンは、幅Ｗ１よりも幅Ｗ２が小さく形成されるとともに、カム溝の一対の稜線に挟まれる領域内に収まるように形成される。
【発明の効果】
【００１４】
本発明によれば、ガイドリブとは異なる新規なコジリ防止手段を備えるスライド式コネクタを提供できる。
【図面の簡単な説明】
【００１５】
【図１】本発明の実施形態に係るスライダ式コネクタをオスコネクタとメスコネクタとに分離して示す斜視図である。
【図２】（ａ）はスライダ式コネクタの側面図、（ｂ）はスライダ式コネクタの平面図である。なお、（ｂ）はスライダを引き出した状態を示している。
【図３】スライダが組み付けられたメスコネクタの斜視図である。
【図４】正規の嵌合姿勢においてカム溝の導入開口にカムピンが導入された状態のコネクタの縦断面図である。（ａ）は、図２（ｂ）のＩＶａ−ＩＶａにおいて破断した図、（ｂ）は、図２（ａ）のＩＶｂ−ＩＶｂ線において破断した図である。なお、他の縦断面図も、同様の位置で破断した図である。
【図５】（ａ）は、カムピンが形成されたオスハウジングの側面を示す拡大図である。カムピンの横断面を示している。（ｂ）は、カム溝およびカムピンを示す模式図である。
【図６】正規の嵌合姿勢において嵌合が完了した状態を示す縦断面図である。
【図７】カム溝が延出する方向に沿って相手コネクタが傾いた状態を示す縦断面図である。
【図８】図７とは反対側に相手コネクタが傾いた状態を示す縦断面図である。
【図９】従来の断面円形状のカムピンを用いた場合にコジリが生じる例を示す縦断面図である。
【図１０】従来の断面円形状のカムピンを用いた場合にコジリが生じる例を示す縦断面図である。
【発明を実施するための形態】
【００１６】
以下、添付図面に示す実施形態に基づいてこの発明を詳細に説明する。
図１〜図３に示すように、本実施形態では、スライダ３が設けられるとともにメス型のメスコンタクト２Ａを有するメスコネクタ２に、オス型のオスコンタクト１Ａを有するオスコネクタ１が嵌合される。
オスコネクタ１には嵌合軸１Ｓが設定されているとともに、メスコネクタ２にも嵌合軸２Ｓが設定されている。これらの嵌合軸１Ｓ，２Ｓが一致する正規の嵌合姿勢により、メスコネクタ２とオスコネクタ１とが正規の嵌合方向Ｍに沿って嵌合される。
【００１７】
メスコネクタ２は、図示しない電線が接続される多数のメスコンタクト２Ａ（図４）と、それらのメスコンタクト２Ａを保持するとともに、スライダ３が組み付けられるメスハウジング２０と、メスハウジング２０の後端部に設けられて電線を覆う電線カバー２６とを備えている。
メスハウジング２０は、樹脂射出成形品であり、メスコンタクト２Ａおよび電線を保持する保持ブロック２１と、保持ブロック２１の両側に設けられて一対をなすスライダ組付部２２と、電線カバー２６を係止するカバー係止突起２３と、電線カバー２６から引き出される電線を揃える電線引出部２４とを一体に有している。
【００１８】
保持ブロック２１は、オスコネクタ１のオスハウジング１０の内側に嵌合されるメス嵌合部２１１と、その外周部に保持されるシールリング２１２とを有している。シールリング２１２により、メスハウジング２０とオスハウジング１０との間が封止される。
その内側にスライダ３が組み付けられるスライダ組付部２２は、スライダ３を覆う矩形板状の側面部２２Ａと、側面部２２Ａの上下端縁に沿って形成されてスライダ３を案内するレール部２２Ｂとを有している。
側面部２２Ａには、スライダ３が開始位置にあるときと（図４）終了位置にあるときに（図６）スライダ３の係止部と係止し合う係止突起２２Ｃが形成されている。
レール部２２Ｂは、嵌合軸２Ｓに直交しており、図４に示すように、メスコネクタ２の後端側に位置する側面部２２Ａの上辺に沿って延びる上部レール部２２１と、側面部２２Ａにおける下辺に沿って延びる下部レール部２２２とを有している。なお、公差により、レール部２２Ｂが嵌合方向Ｍに対する直交方向からずれていてもよい。
下部レール部２２２は、長さ方向の途中で途切れており、そこは、スライダ３が開始位置にあるときにスライダ３のカム溝３１（図４）に連通する導入開口２５とされている。この導入開口２５は、オスコネクタ１およびメスコネクタ２が正規の嵌合姿勢にあるときの正規の嵌合方向Ｍに沿って開口しており、その開口幅がＷ１とされている。この導入開口２５を介して、後述するオスコネクタ１のカムピン５０がカム溝３１に導入される。
【００１９】
スライダ３は、所定の間隔をおいて対向配置される一対の溝形成部３０と、これらの溝形成部３０をカム溝３１の終端３１Ｂ（図４）側で連結する連結部３２とを有している。各々の溝形成部３０には、表裏を貫通するカム溝３１が形成される。スライダ３は、オスコネクタ１およびメスコネクタ２を嵌合、離脱する際に、嵌合方向Ｍと直交する方向に移動するように操作される。
溝形成部３０は、図４に示すように、上部レール部２２１と下部レール部２２２との間に収容される。
カム溝３１は、スライダ３の操作方向に対して傾斜する方向に沿って形成されている。スライダ３をその操作方向に沿って操作すると、後述するオスコネクタ１のカムピン５０が嵌合方向Ｍとスライダ３の操作方向とが合成された方向に沿って、カム溝３１の内部をカム溝３１に対して相対的に移動する。その結果、オスコネクタ１に対してメスコネクタ２が嵌合方向Ｍに沿って押し込まれ、あるいは引き込まれる。このカム溝３１は、カムピン５０と同じ数だけ、各溝形成部３０に２つずつ形成されている。
【００２０】
オスコネクタ１は、図１および図４に示すように、オスコンタクト１Ａと、オスコンタクト１Ａを保持するオスハウジング１０とを備えている。
オスコンタクト１Ａは、ピン、タブなどの突状に形成されており、オスハウジング１０の内側に多数設けられるとともに、その各々がメスコンタクト２Ａに受容される。このオスコンタクト１Ａの後端は、オスコネクタ１の後端から突出し（図４）、図示しない基板のパターンにハンダ等で接合される。
オスハウジング１０は、樹脂射出成形品であり、オスコンタクト１Ａを保持するコンタクト保持部１１と、コンタクト保持部１１の周縁から筒状に立ち上がり、メス嵌合部２１１が内側に嵌合されるオス嵌合フード部１２と、図示しないネジで基板に固定される固定部１３とを備えている。
【００２１】
オス嵌合フード部１２は、略矩形状の間口をなし、長手方向、つまりスライダ３の操作方向に沿う一対の側壁１２１，１２２を有している。側壁１２１，１２２の各々には外側に向けて突出するカムピン５０がスライダ３の操作方向に間隔をおいて一対ずつ形成されている。これらのカムピン５０は、カム溝３１と共に、双方のコネクタ１，２を嵌合させる倍力駆動機構をなす。一対のカムピン５０は、開始位置から終了位置までスライダ３が嵌合操作される向きの前方側Ｆに位置するカムピン５０Ｆと、当該嵌合操作の向きの後方側Ｂに位置するカムピン５０Ｂとからなる。本実施形態では、カムピン５０Ｆおよびカムピン５０Ｂは同じ形状、寸法に形成されている。一対のカムピン５０Ｆおよびカムピン５０Ｂは、それら全体として、嵌合軸１Ｓから後方側Ｂにオフセットして配置されている。
【００２２】
図５（ａ）に示すように、カムピン５０Ｆおよびカムピン５０Ｂはいずれも、横断面が円形状のピン本体５１と、ピン本体５１に一体に形成される張出部５２とを有している。カムピン５０は、以下説明するように、オスコネクタ１およびメスコネクタ２が正規の嵌合姿勢をなしていれば導入開口２５に導入されるが、正規の嵌合姿勢から傾いていると導入開口２５に導入されないように構成されている。
【００２３】
ピン本体５１は、直径Ｄが導入開口２５の幅Ｗ１よりも小さく形成されている。なお、ピン本体５１は、ここでは、仮想的に横断面が円形として説明している。また、ピン本体５１の横断面の形状は真円には限らず、例えば楕円であってもよいし、また、外周に縦溝が形成されていてもよい。
【００２４】
張出部５２は、コネクタ嵌合時にカムピン５０がカム溝３１内をカム溝３１に対して相対的に前進する方向（図５（ｂ）の矢印方向）の後方側に、ピン本体５１の外周から張り出している。カムピン５０は嵌合時にカム溝３１の終端３１Ｂに向けて前進するので、その前進方向の後方側は、カム溝３１の始端３１Ａ側となる。
この張出部５２は、平面視略台形状をしており、その先端側に位置するとともに嵌合方向Ｍに平行な先端縁５２１（台形の上底に相当）と、先端縁５２１に直交する下端縁５２２と、嵌合方向Ｍにおいて下端縁５２２に対向するとともに先端縁５２１に交差する上端縁５２３とを有している。先端縁５２１と下端縁５２２との交点を角隅部５２１Ａと呼び、先端縁５２１と上端縁５２３との交点を角隅部５２１Ｂと呼ぶものとする。角隅部５２１Ａの方が角隅部５２１Ｂよりもピン本体５１の軸心からの距離が遠い。
【００２５】
ここで、嵌合方向Ｍに沿って投影されたときに、嵌合方向Ｍに直交する投影面上に投影されるカムピン５０（５０Ｆ，５０Ｂ）の幅をＷ２とする。幅Ｗ２は、先端縁５２１から、軸心を挟んでピン本体５１の反対側の円周上の点までの距離として特定される（図５（ａ）の左側参照）。以下、この幅Ｗ２を正規の嵌合姿勢のときのカムピン５０の幅Ｗ２と呼ぶことがある。
また、嵌合方向Ｍから図示において反時計回りに傾いた方向を投影方向として、その投影方向に直交する投影面上に投影されるカムピン５０の幅をＷ３Ａとする。幅Ｗ３Ａは、角隅部５２１Ａから、ピン本体５１の反対側の円周上の点までの距離として特定される。
さらに、嵌合方向Ｍから傾いた別の方向を投影方向として、その投影方向に直交する投影面上に投影されるカムピン５０の幅をＷ３Ｂとする。幅Ｗ３Ｂは、角隅部５２１Ｂからピン本体５１の反対側の円周上の点までの距離として特定される。
以下では、幅Ｗ３Ａ，Ｗ３Ｂを、傾いたときのカムピン５０の幅と呼ぶことがある。これらの幅Ｗ３Ａ，Ｗ３Ｂは、張出部５２の形成によりカムピン５０の幅がピン本体５１の径Ｄよりも拡げられた箇所を角隅部５２１Ａ，５２１Ｂを用いて代表して示すものであり、張出部５２の形成により拡大されたカムピン５０の幅のことを、幅Ｗ３Ａ，Ｗ３Ｂを含めて幅Ｗ３と定義する。
【００２６】
カムピン５０において、導入開口２５の幅Ｗ１、正規の嵌合姿勢のカムピン５０の幅Ｗ２、および傾いたときのカムピン５０の幅Ｗ３Ａ，Ｗ３Ｂが以下の式（１）を満足する。したがって、正規の嵌合姿勢のときは、カムピン５０を導入開口２５に導入できるが、正規の嵌合姿勢から傾いていると、カムピン５０を導入開口２５に導入できない。
Ｗ３Ａ＞Ｗ３Ｂ＞Ｗ１＞Ｗ２…（１）
【００２７】
次に、張出部５２は、カムピン５０の進退領域内に収まるように形成されている。ここでいう「進退領域内」とは、カム溝３１の長手方向に沿った一対の稜線３１１，３１２に挟まれる間隙をいい、オスコネクタ１およびメスコネクタ２が嵌合、離脱される際に、カムピン５０はこの進退領域内を進退する。張出部５２がこのように形成されているので、オスコネクタ１およびメスコネクタ２が嵌合、離脱される際に、カムピン５０がカム溝３１の内壁に干渉しないでスムーズに摺動できる。
なお、ピン本体５１において張出部５２とは逆側に形成される張出部７２（図５（ｂ））については後述する。
【００２８】
以上説明したオスコネクタ１とメスコネクタ２とを正規の嵌合姿勢で嵌合する手順について、図４および図６を参照して説明する。
まず、図４に示すように、スライダ３をメスコネクタ２のスライダ組付部２２から引き出す。そして、正規の嵌合姿勢でオス嵌合フード部１２の内側にメス嵌合部２１１を挿入すると、メスコネクタ２の合計４つの導入開口２５の各々に、嵌合方向Ｍに沿ってオスコネクタ１のカムピン５０が導入される（図４（ａ））。
カムピン５０は、上述の式（１）より導入開口２５の幅Ｗ１よりもその径Ｄが小さい上、外周が円弧面をなしているピン本体５１が張出部５２よりも導入開口２５に先に接するので、カムピン５０は導入開口２５内に誘い込まれてスムーズに導入される。そして、式（１）の幅Ｗ１＞幅Ｗ２の関係より、カムピン５０は端縁部２７に干渉することなく導入開口２５に無理なく導入される。このとき、先端縁５２１が端縁部２７に摺接することで、カムピン５０が導入開口２５の内側まで案内される。導入開口２５を通過したカムピン５０は、カム溝３１内の始端３１Ａに配置される。
以上のように正規の嵌合姿勢でオスコネクタ１およびメスコネクタ２を嵌合しようとすると、カム溝３１内にカムピン５０が挿入された状態で、メス嵌合部２１１の先端部がオスコンタクト１Ａの先端よりも奥には達していないので、コジリは生じない。
【００２９】
次に、スライダ３を前方側Ｆに向けて（図４の矢印方向）嵌合操作すると、カム溝３１に対してカムピン５０がカム溝３１の終端３１Ｂに向けて相対的に前進することで、オスコネクタ１に向けてメスコネクタ２が嵌合方向Ｍに沿って押し込まれる。
上記のように張出部５２は進退領域内に収まるように形成されているので、張出部５２がカム溝３１の内壁に干渉することなく、カムピン５０はカム溝３１内をスムーズに摺動する。そして、図６（ａ）に示すように、カムピン５０がカム溝３１の終端３１Ｂに到達すると、オスコネクタ１とメスコネクタ２との嵌合が完了する。
【００３０】
メスコネクタ２とオスコネクタ１との嵌合を解除するには、上記の嵌合操作の向きとは逆向きにスライダ３を操作する。すると、カム溝３１の終端３１Ｂから始端３１Ａへとカムピン５０が案内されるにつれて、オスコネクタ１からメスコネクタ２が離脱される。このときも、張出部５２がカム溝３１の内壁に干渉することなく、スライド操作をスムーズに行える。そして、図４に示すようにカム溝３１の始端３１Ａまでカムピン５０が到達すると、双方のコネクタ１，２の嵌合が解除される。
このとき、導入開口２５の幅Ｗ１と正規の嵌合姿勢のときの幅Ｗ２との差によって決まるガタが僅かであるために、導入開口２５の端縁部２７にカムピン５０の先端縁５２１が圧接されると、メスコネクタ２はオスコネクタ１に保持される。これにより、オスコネクタ１とメスコネクタ２とは、即座に分離されることなく、仮係止された状態に保たれる。仮係止に必要な圧接力は、ガタの大きさ、および先端縁５２１・端縁部２７の長さに応じて調整できる。また、それらを調整することにより、仮係止されないようにもできる。
そして、メスコネクタ２を嵌合方向Ｍに沿ってオスコネクタ１から引き離すと、仮係止が解除される。このときも、先端縁５２１によってカムピン５０が導入開口２５の外側まで案内される。
【００３１】
次に、図５（ａ），図７および図８を参照し、オスコネクタ１に対してメスコネクタ２を反時計回り（図７）、または、時計回り（図８）に傾けて嵌合しようとしたときの挙動を説明する。なお、カムピン５０Ｆおよび５０Ｂが後方側Ｂにオフセットしているために、本実施形態では、図７に示すように反時計回りにメスコネクタ２が傾いているときの方が、図８に示すように時計回りにメスコネクタ２が傾いているときよりも、コジリが生じやすい。
先ず、図７に示すように、メスコネクタ２が反時計回りに傾いた姿勢で嵌合しようとすると、図５（ａ）の左側に示すように、導入開口の幅Ｗ１よりも、傾いたときのカムピン５０Ｆの幅Ｗ３Ａの方が大きいので、カムピン５０Ｆが導入開口２５の端縁部２７に干渉し、カムピン５０Ｆは導入開口２５に入ることがてきない。その結果、メスコネクタ２をオスコネクタ１に向けて斜めに押し込むことができず、メス嵌合部２１１の先端部２１１Ａがオスコンタクト１Ａの先端に接触するのが回避されるので、コジリが生じない。
【００３２】
一方、図８に示すように、メスコネクタ２が時計回りに傾いた姿勢で嵌合しようとしても、図５（ａ）の右側に示すように、導入開口の幅Ｗ１よりも、傾いたときのカムピン５０Ｆの幅Ｗ３Ｂの方が大きい。このため、メスコネクタ２を押し込もうとしても、図示するように、カムピン５０Ｂの角隅部５２１Ｂが、導入開口２５の端縁部２７に対して突き上げるように干渉する。したがって、カムピン５０Ｂが導入開口２５の奥にそれ以上は入らないので、図７の場合と同様に、メスコネクタ２が時計回りに傾いたままでは、オスコンタクト１Ａをコジる位置までメスコネクタ２を押し込むことができない。
【００３３】
以上説明したように、本実施形態によれば、正規の嵌合姿勢からコネクタが反時計回り（図７）、時計回り(図８)のいずれの向きに傾いていても、カムピン５０が導入開口２５に導入されるのを阻止できるので、オスコンタクト１Ａのコジリを未然に防止できる。しかも本実施形態によれば、メスコネクタ２に変更を加えることなく、オスコネクタ１のピン本体５１に張出部５２を付加するだけで足りるので、それまで使用していたメスコネクタ２をそのまま使い続けることができる。
また、前述したガイドリブを必要としないので、オスコネクタ１およびメスコネクタ２が大型化することもない。
そして、本実施形態によれば、張出部５２はカム溝３１内の進退領域内に収まるように形成されているので、カム溝３１の内壁に干渉することなくスライダ３の操作をスムーズに行える。
【００３４】
本発明において、カムピン５０の張出部５２の形状は、上述した機能を発揮する限り、任意であり、例えば、角隅部５２１Ａを頂点とする三角形状、あるいは、先端縁５２１を長辺とする矩形状であってもよい。
また、カム溝３１の内壁に干渉しない範囲で、導入開口２５の端縁部２７とガイドし合う先端縁５２１をより長く形成すれば、導入開口２５にカムピン５０をより安定して導入できる。
【００３５】
本発明では、図５（ｂ）に示すように、張出部５２とは反対側に張り出す張出部７２を形成してもよい。張出部７２は、カム溝３１の終端３１Ｂ側に、上述の張出部５２とはピン本体５１の軸心を挟んで点対称に形成されている。このような張出部７２が形成されることによっても、張出部５２について上記で述べたのと同様の作用効果が得られる。
なお、張出部５２と張出部７２との両方を形成することにより、張出部５２と張出部７２とを合わせて、より強力に、コネクタを傾けての嵌合ができないようにすることもできる。
ここで、張出部７２が形成される例に対して、本実施形態では、導入開口２５に向けてピン本体５１が張出部５２よりも先行するため、導入開口２５にカムピン５０をスムーズに導入できる。
さらに、張出部７２が形成される例では、カム溝３１の終端３１Ｂに張出部７２を受け入れるための窪みを形成する必要が生じうるのに対して、本実施形態ではカム溝３１の始端３１Ａから導入開口２５にかけて存在するガタを詰めるように張出部５２が形成されているのでスライダ３の仕様変更が必要ない。
但し、強度的、スペース的に十分余裕があるために、カム溝３１の終端３１Ｂをピン５０に対してより後方側Ｂまで設けており、コネクタ１，２の嵌合が完了した状態において終端３１Ｂとピン５０との間に隙間があいている場合もある。そのようなコネクタでは、当該隙間に、張出部７２を配置できる。
【００３６】
また、カムピン５０Ｆの張出部５２とカムピン５０Ｂの張出部５２とは同じ形状に限らず、形状が相違していてもよい。
さらに、本発明は側壁１２１，１２２に形成されるカムピン５０（５０Ｆ，５０Ｂ）のすべてに張出部５２を設けることを必須とするものではなく、いずれか一つのみに張出部５２を設けることを包含する。オスコネクタ１、メスコネクタ２の形態によっては、オスコネクタ１に対してメスコネクタ２をある向きに傾けたときにはコジリが生じ得ない場合があるからである。
【００３７】
さらにまた、側壁１２１，１２２に形成されるカムピン５０の数は、オスコネクタ１およびメスコネクタ２の形態に応じて、１以上の任意の数を採用できる。例えば、スライダ３の操作を安定して行うために、３つ以上のカムピン５０を形成することもある。
【００３８】
上記以外にも、本発明の主旨を逸脱しない限り、上記実施形態で挙げた構成を取捨選択したり、他の構成に適宜変更することが可能である。
【符号の説明】
【００３９】
１      オスコネクタ
２      メスコネクタ（相手コネクタ）
１Ｓ，２Ｓ  嵌合軸
３      スライダ
１０    オスハウジング
１２    オス嵌合フード部
２０    メスハウジング
２２    スライダ組付部
２２Ａ  側面部
２２Ｂ  レール部
２２Ｃ  係止突起
２５    導入開口
２６    電線カバー
２７    端縁部
３０    溝形成部
３１    カム溝
３１Ａ  始端
３１Ｂ  終端
３２    連結部
５０（５０Ｆ，５０Ｂ）  カムピン
５１  ピン本体
５２，７２  張出部
２１１  メス嵌合部
２１２  シールリング
２２１  上部レール部
２２２  下部レール部
３１１，３１２  稜線
５２１  先端縁（外周部）
５２１Ａ  角隅部
５２１Ｂ  角隅部
Ｂ      後方側
Ｆ      前方側
Ｍ      嵌合方向
Ｗ１，Ｗ２，Ｗ３Ａ，Ｗ３Ｂ  幅
【図１】
2014017135.tif 000003
【図２】
2014017135.tif 000004
【図３】
2014017135.tif 000005
【図４】
2014017135.tif 000006
【図５】
2014017135.tif 000007
【図６】
2014017135.tif 000008
【図７】
2014017135.tif 000009
【図８】
2014017135.tif 000010
【図９】
2014017135.tif 000011
【図１０】
2014017135.tif 000012